(57)【要約】【課題】  材料の節減に寄与する折り畳み自在な包装用中仕切を得ること。【解決手段】  単一の中仕切材料用シートの周囲に中仕切の横片部を構成する余白部１０を残し、該シートに切目１２ａを設けることにより、一側に糊代部１４ａを備えた内側分割縦片部１４が設けられ、その他側に外側縦片部１６が切目１２ｂによって形成された中仕切用シート２２Ａ、２２Ｂの一対が設けられ、一方の中仕切用シート２２Ａを裏返し、両糊代部１４ａの内側面が接着されてなるもので、一方の中仕切用シート２０Ａに底部２０が折り畳み自在に設けられてなるもの。【選択図】  図２
0003127568.tif 000002
【実用新案登録請求の範囲】
【請求項１】
方形の中仕切材料用シートにおいて、該シートの少なくとも対向する上下の二辺側に包装用中仕切の横片部を構成する余白部１０が残存され、
前記の余白部１０間において、該余白部１０に連設された主繋ぎ部１０ａが残存され、主繋ぎ部１０ａの一側に切目１２ａを介して一側に糊代部１４ａを備えた折り畳み自在な内側分割縦片部１４が形成されると共に、前記の主繋ぎ部１０ａの他側に切目１２ｂを介して折り畳み自在な外側縦片部１６が形成されてなる包装中仕切用シート２２Ａ、２２Ｂの一対が設けられ、
これらの一対の包装中仕切用シート２２Ａ、２２Ｂのうち、一方の包装中仕切用シート２２Ａの下方の該余白部１０に折目１８を介して折り畳み自在な包装用中仕切の底部２０が形成され、
一方の包装中仕切用シート２２Ａと他方の包装中仕切用シート２２Ｂが対称に、かつ、一方の包装中仕切用シート２２Ａが他方の包装中仕切用シート２２Ｂに対して他側へずらして重ね合わせられ、
一方の包装中仕切用シート２２Ａの内側分割縦片部１４の糊代部１４ａと他方の包装中仕切用シート２２Ｂの内側分割縦片部１４の糊代部１４ａが接着されてなることにより、該余白部１０、接着された一対の内側分割縦片部１４および外側縦片部１６によって被包装物用の升目を形成するようにしたことを特徴とする折り畳み自在な包装用中仕切。
【請求項２】
被包装物用の升目の幅に等しい幅αを備えた規制片２４が両側の折り目２６を介して前記の一方の包装中仕切用シート２２Ａと他方の包装中仕切用シート２２Ｂ間に折り畳み自在に連設されてなることを特徴とする請求項１記載の折り畳み自在な包装用中仕切。
【請求項３】
折り畳み自在な包装用中仕切の底部２０の形態は、包装中仕切用シートの長さと該被包装物用の升目の幅αによって形成されるに等しい方形であることを特徴とする請求項１又は２記載の折り畳み自在な包装用中仕切。
【請求項４】
折り畳み自在な包装用中仕切の底部２０の該規制片２４寄りに糊代部２０ａが折目２０ｂを介して折り畳み自在に形成され、該糊代部２０ａが折曲されて該規制片２４の内側に接着されたことを特徴とする請求項２又は３記載の折り畳み自在な包装用中仕切。
【請求項５】
折り畳み自在な包装用中仕切の底部２０において、該糊代部２０ａ寄りの前記の
規制片２４の折り目２０ｂ端から該包装用中仕切の底部２０の外側端にかけて折目２０ｃが傾斜して設けられてなることを特徴とする請求項２、３又は４記載の折り畳み自在な包装用中仕切。
【請求項６】
主繋ぎ部１０ａの一側の切目１２ａと他側の切目１２ｂは、余白部１０と内側分割縦片部１４間、余白部１０と外側縦片部１６間においてそれぞれが非接触の間隙によるものであることを特徴とする請求項１、２、３、４又は５記載の折り畳み自在な包装用中仕切。
【考案の詳細な説明】
【技術分野】
【０００１】
この考案は、段ボール箱などの包装用箱内に収容して被包装物を包装する折り畳み自在な包装用中仕切に関する。
【背景技術】
【０００２】
この種の包装用中仕切として、この考案者は先に実用新案登録第３１１８２５６号公報記載の考案をした。
この背景技術は、包装用中仕切の材料の節減に寄与することを目的とするもので、包装用中仕切は横片と縦片の２枚のシートの組み合わせからなる従前の構成に代えて、１枚のシートから、升目を構成する横片と縦片の得るようにしたものである。
【０００３】
したがって、この背景技術は材料の節減に寄与する点で評価できる。
一方、たとえば、一升瓶を中仕切により包装用箱内に収納する場合、包装用中仕切の妄動を回避するため、中仕切の高さを包装用箱の高さに等しく設定し、下方側を包装用箱の底板、上方側を包装用箱の蓋板によりそれぞれ規制することにより、該箱内の上下方向に空白を発生しないにして中仕切の妄動を抑制するように図られた。
【０００４】
中仕切の妄動を抑制できるものの、中仕切の高さが包装用箱の高さに追従されるので、中仕切の材料に無駄が発生し、材料の節減に反することになった。
【特許文献１】実用新案登録第３１１８２５６号公報
【考案の開示】
【考案が解決しようとする課題】
【０００５】
解決しようとする問題点は、中仕切の材料に無駄が発生する点と、包装用箱内における使用時に包装用中仕切が妄動する点である。
【０００６】
他の問題点は、収納時の被包装物が不安定な点である。
【０００７】
さら、他の問題点は、中仕切を構成する縦片部が折目くせにより、姿勢が定まらないので、取り扱いが煩雑な点である。
【課題を解決するための手段】
【０００８】
本考案の課題を解決するための第１の手段は、方形の中仕切材料用シートにおいて、該シートの少なくとも対向する上下の二辺側に包装用中仕切の横片部を構成する余白部１０が残存され、
前記の余白部１０間において、該余白部１０に連設された主繋ぎ部１０ａが残存され、主繋ぎ部１０ａの一側に切目１２ａを介して一側に糊代部１４ａを備えた折り畳み自在な内側分割縦片部１４が形成されると共に、前記の主繋ぎ部１０ａの他側に切目１２ｂを介して折り畳み自在な外側縦片部１６が形成されてなる包装中仕切用シート２２Ａ、２２Ｂの一対が設けられ、
これらの一対の包装中仕切用シート２２Ａ、２２Ｂのうち、一方の包装中仕切用シート２２Ａの下方の該余白部１０に折目１８を介して折り畳み自在な包装用中仕切の底部２０が形成され、
一方の包装中仕切用シート２２Ａと他方の包装中仕切用シート２２Ｂが対称に、かつ、一方の包装中仕切用シート２２Ａが他方の包装中仕切用シート２２Ｂに対して他側へずらして重ね合わせられ、
一方の包装中仕切用シート２２Ａの内側分割縦片部１４の糊代部１４ａと他方の包装中仕切用シート２２Ｂの内側分割縦片部１４の糊代部１４ａが接着されてなることにより、該余白部１０、接着された一対の内側分割縦片部１４および外側縦片部１６によって被包装物用の升目を形成するようにしたことを特徴とする折り畳み自在な包装用中仕切である。
【０００９】
本考案の課題を解決するための第２の手段は、第１の手段において、
被包装物用の升目の幅に等しい幅αを備えた規制片２４が両側の折り目２６を介して前記の一方の包装中仕切用シート２２Ａと他方の包装中仕切用シート２２Ｂ間に折り畳み自在に連設されてなることを特徴とする折り畳み自在な包装用中仕切である。
【００１０】
本考案の課題を解決するための第３の手段は、第１又は第２の手段において、
折り畳み自在な包装用中仕切の底部２０の形態は、包装中仕切用シートの長さと該被包装物用の升目の幅αによって形成されるに等しい方形であることを特徴とする折り畳み自在な包装用中仕切である。
【００１１】
本考案の課題を解決するための第４の手段は、第２又は第３の手段において、
折り畳み自在な包装用中仕切の底部２０の該規制片２４寄りに糊代部２０ａが折目２０ｂを介して折り畳み自在に形成され、該糊代部２０ａが折曲されて該規制片２４の内側に接着されたことを特徴とする折り畳み自在な包装用中仕切である。
【００１２】
本考案の課題を解決するための第５の手段は、第２、第３又は第４の手段において、折り畳み自在な包装用中仕切の底部２０において、該糊代部２０ａ寄りの前記の規制片２４の折り目２０ｂ端から該包装用中仕切の底部２０の外側端にかけて折り目２０ｃが傾斜して設けられてなることを特徴とする折り畳み自在な包装用中仕切である。
【００１３】
本考案の課題を解決するための第６の手段は、第１、第２、第３、第４又は第５の手段において、主繋ぎ部１０ａの一側の切目１２ａと他側の切目１２ｂは、余白部１０と内側分割縦片部１４間、余白部１０と外側縦片部１６間においてそれぞれが非接触の間隙によるものであることを特徴とする折り畳み自在な包装用中仕切である。
【考案の効果】
【００１４】
本考案の課題を解決するための第１の手段は、上記の構成であるから、以下の作用効果を奏する。
升目を構成する横片部と縦片部を得るのに、横片部は中仕切材料用シートに余白部を残存させるだけで得られるから、横片部を得るために別途に中仕切材料用シートを用意する必要がないので、材料の無駄がない。
他方、縦片部を構成する内側分割縦片部と外側縦片部を得るには、刃物により、主繋ぎ部を残して単に中仕切材料用シートを打ち抜くことにより、主繋ぎ部の両側に内側分割縦片部、外側縦片部を形成できるから、生産工程の簡素化を期待できる。
包装用中仕切用シートの余白部を升目用の横片部として構成できるから、二枚の中仕切用シートを配置させ、向かい合わせた糊代部を接着させることにより、折りたたみ自在な縦片を得ることができるので、二枚の中仕切用シートを互いに異方向に引っ張るだけで複数個の格子状の升目を備えた包装用中仕切を得ることができるから、使用上の利便性に寄与できる。
【００１５】
その上、一方の包装用中仕切用シート２０Ａの下方の該余白部１０に折目１８を介して折り畳み自在な包装用中仕切の底部２０が形成されているから、使用時の中仕切の安定性が得られることのほか、中仕切が包装用箱Ｂの底Ｓに収納して使用される場合、中仕切の底部２０上に被包装物Ｗが載置されることになるが、中仕切は被包装物の重量に支配されるので、浮き上がったり、妄動することがない。
そこで、従来のように中仕切の高さを意図的に包装用箱の高さに等しく設定し、使用時の中仕切の妄動抑制を仕切の上方において包装用箱の蓋Ｔにより規制する
必要がないから、中仕切の高さを包装用箱Ｂの高さに支配されることなく、中仕切の高さを従来に比較して低く設定できるので一層、中仕切の材料の節減に寄与できる。
【００１６】
本考案の課題を解決するための第２の手段は、上記の構成であるから、第１の手段が奏する作用効果のほか、以下の作用効果を奏する。
被包装物用の升目の幅に等しい幅αを備えた規制片２４が両側の折り目２６を介して前記の一方の中仕切用シート２２Ａと他方の中仕切用シート２２Ｂ間に折り畳み自在に連設されてなるから、使用時において中仕切の安定性が得られることはもちろん、一方の中仕切用シート２２Ａと他方の中仕切用シート２２Ｂが対称に、かつ、一方の中仕切用シート２２Ａが他方の中仕切用シート２２Ｂに対して他側へずらして重ね合わせ、一方の中仕切用シート２２Ａの内側分割縦片部１４の糊代部１４ａと他方の中仕切用シート２２Ｂの内側分割縦片部１４の糊代部１４ａを接着させる場合に位置合わせの作業を楽に実施できる。
【００１７】
本考案の課題を解決するための第３の手段は、上記の構成であるから、第１又は第２の手段が奏する作用効果のほか、以下の作用効果を奏する。
折り畳み自在な包装用中仕切の底部２０の形態は、中仕切用シートの長さと該被包装物用の升目の幅αによって形成されるに等しい方形であるから、中仕切の底部２０側の姿勢の安定を図ることができる。
【００１８】
本考案の課題を解決するための第４の手段は、上記の構成であるから、第２又は第３の手段が奏する作用効果のほか、以下の作用効果を奏する。
折り畳み自在な包装用中仕切の底部２０の該規制片２４寄りに糊代部２０ａが折り目２０ｂを介して折り畳み自在に形成され、該糊代部２０ａが折曲されて該規制片２４の内側に接着されているから、包装用中仕切の底部２０の安定性が得られる。
【００１９】
本考案の課題を解決するための第５の手段は、上記の構成であるから、第２、第３又は第４の手段が奏する作用効果のほか、以下の作用効果を奏する。
折り畳み自在な包装用中仕切の底部２０において、該糊代部２０ａ寄りの前記の
規制片２４の折り目２０ｂ端から該包装用中仕切の底部２０の外側端にかけて折り目２０ｃが傾斜して設けられてなるから、内側分割縦片部１４や外側縦片部１６とともに底部２０も折り畳み易いので、中仕切を嵩張らないようにできる。
【００２０】
本考案の課題を解決するための第６の手段は、上記の構成であるから、第１、第２、第３、第４又は第５の手段が奏する作用効果のほか、以下の作用効果を奏する。
主繋ぎ部１０ａの一側の切目１２ａと他側の切目１２ｂは、余白部１０と内側分割縦片部１４間、余白部１０と外側縦片部１６間においてそれぞれが非接触の間隙によるものであるから、内側分割縦片部１４および外側縦片部１６を折り畳みその反対に折り曲げる場合、余白部１０との摩擦がなく、いわゆる折目くせによる復元作用を奏することなく、無理なく折り畳むことや引き起こすことのできる利点がある。
したがって、内側分割縦片部１４と外側縦片部１６の取り扱いが楽であるから、使用上の煩雑さがない。
【考案を実施するための最良の形態】
【００２１】
包装用中仕切の材料の節減に寄与しつつ、使用時における中仕切の妄動を抑制するという目的を、最小の部品点数と少ない製造工程で包装用中仕切の機能を損なうことなく実現した。
【実施例１】
【００２２】
図１ないし図５および図８を参照して実施例１の包装用中仕切の詳細を説明する。
図１および図２に示される例は、追って詳細を説明するが、中央部に規制片２４を設けた例であり、図８に示される例は、規制片２４のない例である。
規制片２４は主として生産工程上の向上化を図ることを目的としたものである。
したがって、この規制片２４は包装用中仕切に必ずしも必要とするものではない。
規制片２４を設けない例は、図８図に示される実施例４により説明する。
【００２３】
規制片２４の両側には、包装中仕切用シート２２Ａ、２２Ｂの一対が設けられているが、両包装中仕切用シート２２Ａ、２２Ｂの構成は底部２０の有無の相違を除き、共通であるから、一方の包装中仕切用シート２２Ａの構成について説明し、他方の包装中仕切用シート２２Ｂの構成についてはその説明が援用され、省略されている。
【００２４】
図面上の右側の中仕切材料用シート２２Ａにおいて、左右と上下の四辺側に余白部１０が残存されている（図１、図２を参照）。
しかし、追って説明するが、四辺側のすべてに余白部１０を設けることを必須とするものではないが、四辺側のうち、少なくとも、図面上または使用時の上下方向の二辺側に包装用中仕切の横片部を構成することになる余白部１０を残存させることはこの考案を構成するために必須である。
【００２５】
たとえば、図５に示される例では、規制片２４側を除く他の三辺側に包装用中仕切の横片部を構成することになる余白部１０が残されている。
図６を参照すれば、図面上の左側の包装中仕切用シート２２Ｂの場合、左右の余白部１０が省略されている。
図面上の左右の二辺側、または左右のいずれかの側の余白部１０を省略することにより、縦片部の面積を拡大できるように意図されている。
【００２６】
中仕切材料用シートは、一般的に段ボールやクラフト紙などの紙材であるが、硬質プラスチックスを採用してもよい。
もっとも、紙材を採用する場合は、使用時に縦片や横片が揺れないように姿勢制御を図るため、一定の肉厚たとえば０．５〜１ｍｍ程度のものが好ましい。
【００２７】
図面上の右側の中仕切材料用シート２２Ａにおいて、左右と上下の四辺側に余白部１０が残存されている（図１、図２を参照）。
これらの余白部１０はそれぞれ包装用中仕切の横片部を構成するものである。
上下の余白部１０の内側において、図面上の上下方向に前記の余白部１０に連設された主繋ぎ部１０ａが該シートに残されている。
主繋ぎ部１０ａの一側に略コ字状の切目１２ａを介して一側に糊代部１４ａを備えた折り畳み自在な内側分割縦片部１４が形成されている。
【００２８】
一方の中仕切材料用シート２２Ａの内側分割縦片部１４は独立して包装用中仕切の１単位の縦片を構成するものではなく、追って説明する他方の中仕切材料用シート２２Ｂの内側分割縦片部１４と相俟って結合されることにより１単位の升目を形成するものである。
一方の内側分割縦片部１４の幅と他方の内側分割縦片部１４の幅は必ずしも統一される必要はなく、両内側分割縦片部１４、１４の合計の幅が被包装物用の升目の幅αに等しいものであればよい。
【００２９】
追って説明するように、両内側分割縦片部１４、１４のそれぞれの一側には、糊代部１４ａが設けられ、これらが重合して接着することが予定されているが、重合されることにより、重合部には浅いものの、段部が形成されるので、一升瓶などを収納したとき、接着部、換言すれば重合部が升目の中央からずれるので商品名などを示すラベルに干渉しないようにできる利点を奏する。    
【００３０】
前記の切目１２ａは、単なる線状の切目ではなく、余白部１０と内側分割縦片部１４との間が非接触の状態となるようにたとえば１〜３ｍｍ程度の間隙によるものが好ましい。
切目１２ａを境にして内側分割縦片部１４が折り畳み自在であることを説明したが、切目１２ａが前記したように非接触の状態の間隙により、内側分割縦片部１４を折り畳む場合、その反対に、折り畳まれた内側分割縦片部１４を引き起こす場合に、余白部１０との摩擦がなく、いわゆる折目くせによる復元作用を奏することなく、無理なくその作業を行うことのできる利点がある。
【００３１】
とりわけ、この考案では、折り畳まれた内側分割縦片部１４と外側縦片部１６を主繋ぎ部１０ａを基準にして直角に引き起こして使用するものであるから、切目１２ａ、１２ｂと余白部１０が接触状態にある場合、余白部１０との摩擦が少なくなく、内側分割縦片部１４と外側縦片部１６を引き起こし、あるいは折り畳む作業が実施しにくい問題点を解消できる。
【００３２】
内側分割縦片部１４の一側に、図面上でいえば規制片２４側に一定の幅による糊代部１４ａが斜線で示されるように区画形成されている。
この糊代部１４ａは、追って説明する他方の内側分割縦片部１４を結合するのに供されるものである。
【００３３】
前記の主繋ぎ部１４ａの他側に切目１２ｂを介して折り畳み自在な外側縦片部１６が形成されることにより、包装用中仕切用シート２０Ａが構成されている。
外側縦片部１６の幅（図面上の左右方向）は、被包装物用の升目の幅αに等しいものであればよい。
【００３４】
この切目１２ｂも前記した内側分割縦片部１４の切目１２ａと同様に前記したように非接触の状態の間隙によるものであり、外側縦片部１６の折り畳み、あるいは、引き起こしの作業を余白部１０との摩擦がなく、無理なく実施できるように配慮されている。
【００３５】
この考案では、前記した包装用中仕切用シート２０Ａ、２０Ｂの一対が設けられるが、これらの一対の包装用中仕切用シート２０Ａ、２０Ｂのうち、一方の包装用中仕切用シート２０Ａの下方の該余白部１０に折目１８を介して折り畳み自在な包装用中仕切の底部２０が形成されている（図１ないし図４を参照）。
【００３６】
底部２０を設ける目的は、被収納物の底の保護はもとより、使用時の中仕切の安定性を図り、さらに、中仕切を包装用箱Ｂ内に収納して使用するときに、中仕切の底部２０上に被包装物Ｗが載置されることになるが、中仕切が被包装物Ｗの重量に支配されることにより、その浮き上りや妄動を抑制することにある。
【００３７】
また、従来のように中仕切の高さを意図的に包装用箱Ｂの高さに等しく設定し、使用時の中仕切の妄動抑制を仕切の上方において包装用箱Ｂの蓋Ｔにより規制しないようにするため、中仕切の高さを包装用箱Ｂの高さに支配されることなく、中仕切の高さを従来に比較して低く設定できることを意図し、中仕切の材料の節減に寄与できるように図られている。
【００３８】
折り畳み自在な包装用中仕切の底部２０の形態は、中仕切用シートの長さと該被包装物用の升目の幅αによって形成されるに等しい方形である（図１ないし図３を参照）。
【００３９】
さらにいえば、図５に示されるように、折り畳み自在な包装用中仕切の底部２０の該規制片２４寄りに糊代部２０ａが折目２０ｂを介して折り畳み自在に形成され、該糊代部２０ａが折曲されて該規制片２４の内側に接着させ、使用時の底部２０の姿勢の安定性が図られている。
【００４０】
折り畳み自在な包装用中仕切の底部２０において、糊代部２０ａ寄りの前記の
規制片２４の折目２６端から該包装用中仕切の底部２０の外側端にかけて折り目２０ｃが傾斜して設けられ、該糊代部２０ａ側の前記した斜めの折目２０ｃによって区画され、折目２０ｂを介して糊代部２０ａに連設さらた略三角形の部分を底部２０本体とともに内側に折り畳むことのできるから、中仕切を縮小できるように図られている。
【００４１】
さらに、つづけて説明すると、前記した主繋ぎ部１０ａの上下方向の延長上には、折目による従繋ぎ部２８が形成されている。
また、前記した両側の切目１２ａの従繋ぎ部２８側は、それぞれ内側に向けて折曲され、略Ｖ字に形成されることにより、前記の従繋ぎ部２８と相俟って内側分割縦片部１４と外側縦片部１６を折り曲げ易くになるように配慮されている。
【００４２】
この実施例１の中仕切は、一方の中仕切用シート２０Ａと他方の中仕切用シート２０Ｂの一対から構成される。
両者は底部２０の有無の相違はあるが、他の構成はそっくり共通の構成によるもので両者の糊代部１４ａの内側面がそれぞれ接着されて中仕切が完成する。
【００４３】
一方の中仕切用シート２２Ａと他方の中仕切用シート２２Ｂが対称に、かつ、一方の中仕切用シート２２Ａが他方の中仕切用シート２２Ｂに対して他側へずらして重ね合わせられ、一方の中仕切用シート２２Ａの内側分割縦片部１４の糊代部１４ａと他方の中仕切用シート２２Ｂの内側分割縦片部１４の糊代部１４ａの内側面が接着されることにより、該余白部１０、接着された一対の内側分割縦片部１４および外側縦片部１６によって被包装物用の升目を形成するようにした折り畳み自在な包装用中仕切が得られる。
【００４４】
先に説明したが、被包装物用の升目の幅に等しい幅αを備えた規制片２４が両側の折り目２６を介して前記の一方の中仕切用シート２２Ａと他方の中仕切用シート２２Ｂ間に折り畳み自在に連設されている。
一方の中仕切用シート２２Ａと他方の中仕切用シート２２Ｂが対称に、かつ、一方の中仕切用シート２２Ａが他方の中仕切用シート２２Ｂに対して他側へずらして重ね合わせられ、両内側分割縦片部１４の糊代部１４ａが接着されるが、規制片２４は両中仕切用シート２２Ａ、２２Ｂの重合時の位置決めに寄与し、生産性の向上化を図ることができる。
【００４５】
この考案による包装用中仕切の使用方法を図４を参照して説明すると、包装用中仕切を包装用箱Ｂの底Ｓ上に展開させて据え置く。
そして、升目内に一升瓶などの非包装物Ｗを収納するが、この場合、非包装物Ｗの底を中仕切の底部２０上に載置させる。
かくして、中仕切の底部２０は非包装物Ｗの重量に支配される。
底部２０は中仕切の本体部分と折目１８を介して連結されているから、中仕切の浮き上がりが抑制され、箱Ｂ内で妄動するおそれがない。
このように、浮き上がったりすることがないから、中仕切の高さを背景技術のように包装用箱Ｂの高さに合わせて設ける必要がないので、その高さを低く設定できるから、中仕切の妄動などの抑制を図りつつ、材料の節約に寄与できる。
【実施例２】
【００４６】
この実施例２は、図５に示されるものであるが、実施例１の発明と比較して本質上の相違はない。
したがって、相違する点について言及し、共通する点については、図面と併せ実施例１の説明を援用する。
【００４７】
この例では、縦片部を拡大して採取できるように規制片２４側に余白部１０が残存されていない。
【００４８】
一方の包装用中仕切用シート２２Ａの下方の該余白部１０に折目１８を介して折り畳み自在な包装用中仕切の底部２０が形成されが、底部２０の該規制片２４寄りに糊代部２０ａが折目２０ｂを介して折り畳み自在に形成され、該糊代部２０ａが折曲されて該規制片２４の内側に接着されている。
さらに、該底部２０において、該糊代部２０ａ寄りの前記の規制片２４の折目２６端から該包装用中仕切の底部２０の外側端にかけて折目２０ｃが傾斜して設けられている。
【実施例３】
【００４９】
この実施例３は、図６、図７に示されるものであるが、実施例１の発明と比較して本質上の相違はない。
したがって、相違する点について言及し、共通する点については、図面と併せ実施例１の説明を援用する。
【００５０】
一方の中仕切用シート２２Ａの規制片２４側に余白部１０が残存されていない。
他方の中仕切用シート２２Ｂの図面上の左右には、余白部１０が残存されていない。
【００５１】
一方の中仕切用シート２２Ａの内側分割縦片部１４の幅は、他方の中仕切用シート２２Ｂの内側分割縦片部１４の幅と比較して狭く、他方の中仕切用シート２２Ｂの内側分割縦片部１４は広い。
しかし、両者の内側分割縦片部１４の幅の合計は、被包装物用の升目の幅αに等しい。
【実施例４】
【００５２】
この実施例４は、図８に示されるものであるが、実施例１の発明と比較して本質上の相違はない。
したがって、相違する点について言及し、共通する点については、図面と併せ実施例１の説明を援用する。
実施例１と比較して相違する点は、規制片２４の有無の相違にすぎなく、他の構成はそっくり同一である。
底部２０の有無の相違があるものの、一方の中仕切用シート２２Ａと他方の中仕切用シート２２Ｂを独立して設けれている相違に過ぎない。
【図面の簡単な説明】
【００５３】
【図１】包装用中仕切の実施方法を示した展開図である（実施例１）
【図２】包装用中仕切の実施方法を示した組立図である（実施例１）
【図３】包装用中仕切の実施方法を示した底部の拡大斜視図である（実施例１）
【図４】包装用中仕切の実施方法を示した使用状態の拡大縦断面図である（実施例１）
【図５】包装用中仕切の実施方法を示した展開図である（実施例２）
【図６】包装用中仕切の実施方法を示した展開図である（実施例３）
【図７】包装用中仕切の実施方法を示した組立図である（実施例３）
【図８】包装用中仕切の実施方法を示した組立図である（実施例４）
【符号の説明】
【００５４】
１０  余白部
１０ａ  主繋ぎ部
１２ａ  切目
１２ｂ  切目
１４  内側分割縦片部
１４ａ  糊代部
１６  外側縦片部
１８  折目
２０  底部
２０ａ  糊代部
２０ｂ  折目
２０ｃ  折目
２２Ａ  一方の包装中仕切用シート
２２Ｂ  他方の包装中仕切用シート
２４  規制片
２６  折目
２８  従繋ぎ部
α  被包装物用の升目の幅
【図１】
0003127568.tif 000003
【図２】
0003127568.tif 000004
【図３】
0003127568.tif 000005
【図４】
0003127568.tif 000006
【図５】
0003127568.tif 000007
【図６】
0003127568.tif 000008
【図７】
0003127568.tif 000009
【図８】
0003127568.tif 000010